(57)【要約】【課題】  カーテンを引き分け状態又はたくし上げた状態で、その姿勢を保持するカーテン保持具を提供する。【解決手段】  カーテンに着脱自在に取付け可能な複数のクリップ３と、該複数のクリップ３に夫々接続された装飾性を有する係止体４より構成されており、任意の係止体４を他の係止体４に係止することにより、カーテンを束ね又はたくし上げて、保持することができるカーテン保持具であり、前記係止体４は、複数のビーズが脱落しないように紐４１に通されている。また、前記係止体４は、装飾体が磁性体であるか又は磁石が装飾体に取付けられている。また、前記係止体４は、装飾体にフックが形成されている。【選択図】図２
0003204233.tif 000002
【実用新案登録請求の範囲】
【請求項１】
カーテンに着脱自在に取付け可能な複数のクリップと、該複数のクリップに夫々接続された装飾性を有する係止体より構成されており、任意の係止体を他の係止体に係止することにより、カーテンを束ね又はたくし上げて、保持することができるカーテン保持具。
【請求項２】
前記係止体は、複数のビーズが脱落しないように紐に通されていることを特徴とする請求項１に記載のカーテン保持具。
【請求項３】
前記係止体は、装飾体が磁性体であるか、又は磁石が装飾体に取付けられていることを特徴とする請求項１に記載のカーテン保持具。
【請求項４】
前記係止体は、装飾体にフックが取付けられていることを特徴とする請求項１に記載のカーテン保持具。
【考案の詳細な説明】
【技術分野】
【０００１】  本考案は、カーテンをたくし上げ又は引き分けた状態で、その姿勢を保持するカーテン保持具に関するものである。
【背景技術】
【０００２】  従来、吸磁し合う一対の磁石体を所要長の支持体で連結して成り、相互の吸磁面でカーテンを表裏面から挟持し、たくし上げ部を支持体で支持し、その開口姿勢を保持するカーテンの姿勢保持具が開示されている（特許文献１参照）。また、両端に環状端部を形成した紐又は帯状を有する帯紐体の該環状端部のそれぞれに、少なくとも装飾部を一体若しくは別体として設けた基体で磁石体を包持してなる磁着体を、連結環体でフレキシブルに連結して構成した装飾付カーテン保持具が開示されている（特許文献２参照）。また、カーテンの端部にタッセルと結合されたクリップを挟み留め付け、部屋に房留めがなくても、カーテンを閉じた時はカーテンの端部にクリップで挟み留められているので、カーテンを開いたときはカーテン端部にクリップで留めつけたタッセルのタッセル紐を自在に動かしカーテンを束ねまとめ留められ、カーテンを閉じた際はタッセルがクリップによりカーテン端部に留め付けられているカーテン束ね具が開示されている。（特許文献３参照）。
【先行技術文献】
【特許文献】
【０００３】
【特許文献１】  実用新案登録第３０１１６３５号公報
【特許文献２】  実用新案登録第３０３４４１９号公報
【特許文献３】  実用新案登録第３２０１０５３号公報
【考案の概要】
【考案が解決しようとする課題】
【０００４】  特許文献１及び特許文献２に記載の保持具は、吸磁し合う一対の磁石体を所要長の支持体で連結したものであり、不使用時はカーテンから取外して保管しておき、必要の都度カーテンの所定箇所に取付なければならないという問題点があった。特許文献３に記載のカーテン束ね具は、窓の両側に房留めが無くても、カーテンを束ね留めできるものであるが、カーテンをたくし上げて保持するという機能は有していない。
【課題を解決するための手段】
【０００５】  本考案は、上記問題点を解決するために成されたものであり、カーテンに着脱自在に取付け可能な複数のクリップと、該複数のクリップに夫々接続された装飾性を有する係止体より構成されており、下部の係止体を上部の係止体に係止することにより、カーテンをたくし上げ又は束ねて保持することができるカーテン保持具である。また、前記係止体は複数のビーズが脱落しないように紐に通されている。また、前記係止体は装飾体が磁性体であるか又は磁石が装飾体に取付けられている。また、前記係止体は装飾体にフックが形成されている。
【考案の効果】
【０００６】  本考案のカーテン保持具は、カーテンに着脱自在に取付け可能な複数のクリップと、該複数のクリップに夫々接続された装飾性を有する係止体より構成されている。前記カーテン保持具を、カーテンの縦方向及び／又は横方向の任意位置に複数個取付けると、上下のカーテン保持具を連結すれば、カーテンを部分的にたくし上げることができる。また、２個のカーテン保持具をカーテンの側部に近接して取付けると、カーテンタッセルとしてカーテンを束ねて保持することができる。【０００７】  前記カーテン保持具同士の接続手段は以下のとおりである。係止体がビーズの場合は各係止体のビーズを絡ませて接続する。係止体が磁性体等の場合は各係止体を磁着して接続する。係止体にフックが形成されている場合は各係止体のフックを係止して接続する。これらによれば、ワンタッチで２個のカーテン保持具同士を接続することができる。また、カーテンをたくし上げや束ねないときは、カーテン保持具をカーテンに取付けておけば、カーテンの装飾体として使用することができる。
【図面の簡単な説明】
【０００８】
【図１】  本考案の第一実施形態を示すカーテン保持具の正面図である。
【図２】  本考案の第一実施形態を示すカーテン保持具の係止手順を示したもので、（ａ）はカーテン保持具がカーテンに上下に係止された状態、（ｂ）は上下のカーテン保持具のビーズを十字に重ねた状態、（ｃ）はビーズを絡めた状態である。
【図３】  本考案の第二実施形態を示すカーテン保持具の正面図であり、（ａ）は接続前の状態、（ｂ）は磁着した状態である。
【図４】  本考案の第三実施形態を示すカーテン保持具の正面図であり、（ａ）は接続前の状態、（ｂ）は接続した状態である。
【図５】  本考案の第一実施形態を示すカーテン保持具をカーテンに取付けた状態を示す説明図である。
【考案を実施するための形態】
【０００９】（第一実施形態）
以下、本考案の実施形態について図面に基づいて詳細に説明する。図１及び図２において、カーテン保持具は、カーテンに着脱自在に取付け可能なクリップ３と、該クリップ３に紐４１等で接続された装飾性を有する係止体４より構成されている。クリップ３は、カーテンに取付け後、手等で持ち上げたときに位置ズレや脱落しない程度の挟持力を有するバネクリップが望ましい。
【００１０】  係止体４は、複数個のビーズを脱落しないように紐４１等に通して、基端を前記クリップ３に連結している。図１及び図２では、カーテン保持具のビーズは直線状に４個連通し、中間の２個は両端より大径としているが、全て同径とすることも可能である。前記中間の２個のビーズは、他のカーテン保持具の中間の２個のビーズに絡ませて係止するものであり、係止するビーズ位置を明確とするため大きさを変えている。また、図２（ａ）に示すように、絡ませるビーズ４３を着色等して他のビーズと容易に識別できるようにすることが望ましい。なお、カーテン保持具に連通するビーズの数、サイズ（径）、色、形状等は適用するカーテンに対応して適宜変更することができる。
【００１１】  図２は本考案の第一実施形態を示すカーテン保持具の係止手順を示したもので、図２（ａ）はカーテン保持具がカーテンに上下に取付けられた状態である。カーテンをたくし上げるときは、図２（ｂ）に示すように、上部カーテン保持具１の中間ビーズ４２、４３の隙間に、下部カーテン保持具２の中間ビーズ４４、４５の隙間を前面から十字に交差４７させて中間ビーズ４３を矢印Ａ方向に絡ませて、ビーズ４３をビーズ４４、４５の間に押し込むと、上部カーテン保持具１と下部カーテン保持具２は絡まって図２（ｃ）の状態で保持することができる。カーテンのたくし上げを解除する場合は、図２（ｃ）の状態から中間ビーズ４３を矢印Ｂ方向にビーズ４４、４５の間から引出すと、カーテンの自重で図２（ａ）の状態に復帰する。
【００１２】  カーテン保持具をタッセルとして使用する場合は、図５に示すように、窓側面に設けられたタッセルフック（図示しない）に２個のカーテン保持具１，２のクリップ３を取付け、前記と同様にビーズを絡ませるとカーテンを窓側面に束ねて保持することができる。また、タッセルフックが取付けられていない場合は、窓側面側のカーテン縁に２個のカーテン保持具１，２のクリップ３を取付けてビーズを絡ませるとカーテンを窓側面に束ねて保持することができる。なお、タッセルとして使用する場合は、カーテンの幅や厚さを考慮してビーズや紐４１の長さを決定する必要がある。
【００１３】（第二実施形態）
図３は、本考案の第二実施形態を示すカーテン保持具の正面図であり、（ａ）は接続前の状態、（ｂ）は磁着した状態である。図３（ａ）において、カーテン保持具は、カーテンに着脱自在に取付け可能なクリップ３と、該クリップに接続された装飾性を有する係止体５より構成されている。クリップ３は、カーテンに取付け後、手等で持ち上げたときに位置ズレや脱落しない程度の挟持力を有するバネクリップが望ましい。
【００１４】  係止体５は、装飾性を有する形状、例えば、略人形の平板に磁石５２を貼着して係止体５となし、該係止体５と前記クリップ３を紐５１等で連結したものである。前記係止体５はプラスチック、木又は金属製とすることができ、透明、半透明又は任意に着色することが可能である。装飾性を有する形状としては、前記人形に限定されるものではなく、昆虫、動物、植物、又は図形等に形成することができる。磁石５２は、前記係止体５の任意面（表面又は裏年）に貼着するか、係止体５の板厚部の中に封入してもよい。なお、磁石の形状、大小、磁力の強さはカーテンの素材等に応じて種々選択することができる。
【００１５】  図３（ａ）はカーテン保持具がカーテンに上下に取付けられた状態である。カーテンをたくし上げるときは、図３（ｂ）に示すように、上部カーテン保持具１ａの係止体５の磁石５２に、下部カーテン保持具２ａの係止体５の磁石５２を磁着させるとカーテン保持具１ａ、１ｂは係止されて、カーテンをたくし上げた状態で保持することができる。カーテンのたくし上げを解除する場合は、前記磁石５２を分離すると、カーテンの自重により図３（ａ）の状態に復帰する。
【００１６】  前記カーテン保持具１ａ、２ａをタッセルとして使用する場合は、図５に示すように窓側面に設けられたタッセルフック（図示しない）に２個のカーテン保持具１ａ、２ａのクリップ３を取付け、前記と同様に磁石５２を磁着させるとカーテンを窓側面に束ねて保持することができる。また、タッセルフックが無い場合は、窓側面側のカーテン縁に２個のカーテン保持具１ａ、２ａのクリップ３を取付け、前記と同様に磁石５２を磁着させるとカーテンを窓側面に束ねて保持することができる。なお、タッセルとして使用する場合は、カーテンの幅や厚さを考慮して紐５１の長さを決定する必要がある。
【００１７】（第三実施形態）
図４は、本考案の第三実施形態を示すカーテン保持具の正面図であり、（ａ）は接続前の状態、（ｂ）は係止した状態である。図４（ａ）において、カーテン保持具は、カーテンに着脱自在に取付け可能なクリップ３と、該クリップ３に接続された装飾性を有する係止体６より構成されている。クリップ３は、カーテンに取付け後、手等で持ち上げたときに位置ズレや脱落しない程度の挟持力を有するバネクリップが望ましい。
【００１８】  係止体６は、装飾性を有する形状、例えば星形に形成した線条の一部を切除６２して係止体６となし、該係止体６と前記クリップ３をクサリ６１等で連結したものである。前記係止体６はプラスチック又は金属製とすることができ、透明、半透明又は任意に着色することが可能である。装飾性を有する形状としては、前記星形に限定されるものではなく、様々な図形に形成することができるが、２個の係止体６を連結する切除６２又はフック（図示しない）を形成することが必要である。
【００１９】  図４（ａ）はカーテン保持具がカーテンに上下に取付けられた状態である。カーテンをたくし上げるときは、図４（ｂ）に示すように、上部カーテン保持具１ｂの係止体６の切除６２に、下部カーテン保持具２ｂの係止体６を通すと該カーテン保持具１ｂ、２ｂは係止されて、カーテンをたくし上げた状態で保持することができる。カーテンのたくし上げを解除する場合は、前記カーテン保持具１ｂの係止体６の切除６２から下部カーテン保持具２ｂの係止体６を取外すと、カーテンの自重により図４（ａ）の状態に復帰する。
【００２０】  カーテン保持具をタッセルとして使用する場合は、窓側面に設けられたタッセルフック（図示しない）に２個のカーテン保持具１ｂ、２ｂのクリップ３を取付け、一方のカーテン保持具１ｂの係止体６の切除６２に、他方のカーテン保持具２ｂの係止体６を通すとカーテンを窓側面に束ねて保持することができる。なお、タッセルとして使用する場合は、カーテンの幅や厚さを考慮して鎖の長さを決定する必要がある。
【産業上の利用可能性】
【００２１】  本考案のカーテン保持具は、装飾品として様々なカーテンに着脱自在に取付け可能が可能である。また、２個のカーテン保持具を連結することで、カーテンをたくし上げたり、束ねたりすることができるので、様々なカーテンに装飾を兼ねたカーテン保持具として広く適用することができる。。
【符号の説明】
【００２２】  １、１ａ、１ｂ  上部カーテン保持具
２、２ａ、２ｂ  下部カーテン保持具
３  クリップ（バネクリップ）
４、５、６  係止体
４１、５１  紐
４２、４３  中間ビーズ
４４、４５  中間ビーズ
４７  十字に交差
５２  磁石
６１  クサリ
６２  切除
【図１】
0003204233.tif 000003
【図２】
0003204233.tif 000004
【図３】
0003204233.tif 000005
【図４】
0003204233.tif 000006
【図５】
0003204233.tif 000007